(57)【要約】【目的】ズームファインダの小型化に有利な構造を有する視度調整装置を得ること。【構成】少なくとも２つの可動レンズ群を光軸方向に移動させることで焦点距離を変化させるズームファインダにおいて、少なくとも２つの可動レンズ群の相対位置を変化させることなく該少なくとも２つの可動レンズ群を光軸方向に同時に移動させてズームファインダの視度を調整する視度調整手段を有するズームファインダの視度調整装置。【選択図】      図１
2004205980.tif 000002
【特許請求の範囲】
【請求項１】
少なくとも２つの可動レンズ群を光軸方向に移動させることで焦点距離を変化させるズームファインダにおいて、
少なくとも２つの可動レンズ群の相対位置を変化させることなく該少なくとも２つの可動レンズ群を光軸方向に同時に移動させてズームファインダの視度を調整する視度調整手段を有することを特徴とする、ズームファインダの視度調整装置。
【請求項２】
請求項１記載のズームファインダの視度調整装置において、視度調整手段は、少なくとも２つの可動レンズ群にそれぞれ固定された少なくとも２つのカムフォロアと；
これら少なくとも２つのカムフォロアがそれぞれ摺接する少なくとも２つのカム面を備えたズーム用カムと；
このズーム用カムの初期位置を調整する調整手段と；
を有する、ズームファインダの視度調整装置。
【請求項３】
請求項２記載のズームファインダの視度調整装置において、ズーム用カムは、ズームファインダの光軸と略平行な回転軸を中心として回転する略筒状の回転カムであり、少なくとも２つのカム面はこの回転カムの外周面に形成されており、調整手段は、この回転カムの軸方向位置を調整する調整ネジを有している、ズームファインダの視度調整装置。
【請求項４】
請求項１記載のズームファインダの視度調整装置において、ズームファインダのファインダ光学系は、２つの可動レンズ群及びこの２つの可動レンズ群の前方に固定された１つの固定レンズ群からなる３群タイプである、ズームファインダの視度調整装置。
【請求項５】
請求項１記載のズームファインダの視度調整装置において、ズームファインダのファインダ光学系は、２つの可動レンズ群からなる２群タイプである、ズームファインダの視度調整装置。
【発明の詳細な説明】
【０００１】
【技術分野】
本発明は、ズームファインダの視度調整装置に関する。
【０００２】
【従来技術及びその問題点】
ズームレンズを備えた従来のコンパクトカメラでは、ズームレンズの焦点距離変化に連動させてその焦点距離を変化させるズームファインダを備えたものが多く知られている。従来このようなズームファインダでは、ズームファインダ光学系を構成する複数のレンズ群のうち最前部に位置する第１レンズ群を前後させることにより視度調整を行っていた。このため、第１レンズ群を光軸方向に所定量前後させるための視度調整用空間を予め確保する必要があり、この空間がファインダの大型化の要因、ひいてはカメラの大型化の要因となっていた。
【０００３】
【発明の目的】
本発明は、以上のような従来の問題点に鑑みて成されたものであり、ズームファインダの小型化に有利な構造を有する視度調整装置を得ることを目的とする。
【０００４】
【発明の概要】
本発明のズームファインダの視度調整装置は、少なくとも２つの可動レンズ群を光軸方向に移動させることで焦点距離を変化させるズームファインダにおいて、少なくとも２つの可動レンズ群の相対位置を変化させることなく該少なくとも２つの可動レンズ群を光軸方向に同時に移動させてズームファインダの視度を調整する視度調整手段を有することを特徴としている。
【０００５】
例えば視度調整手段は、少なくとも２つの可動レンズ群にそれぞれ固定された少なくとも２つのカムフォロアと；これら少なくとも２つのカムフォロアがそれぞれ摺接する少なくとも２つのカム面を備えたズーム用カムと；このズーム用カムの初期位置を調整する調整手段と；を有する構成にすることができる。この場合、ズーム用カムは、ズームファインダの光軸と略平行な回転軸を中心として回転する略筒状の回転カムであり、少なくとも２つのカム面はこの回転カムの外周面に形成されており、調整手段は、この回転カムの軸方向位置を調整する調整ネジを有している構成にすることが好ましい。
【０００６】
【発明の実施の形態】
図１乃至図３は、本発明を適用したズームファインダの一実施形態を示している。ズームファインダ１は、撮影光学系としてズームレンズを備えたコンパクトカメラに用いられるズームファインダであり、第１レンズ群Ｌ１、第２レンズ群Ｌ２及び第３レンズ群Ｌ３からなるファインダ光学系を有している。
【０００７】
第１レンズ群Ｌ１は固定レンズ群であり、第２レンズ群Ｌ２及び第３レンズ群Ｌ３は各々光軸方向に可動のレンズ群である。これら可動の第２レンズ群Ｌ２及び第３レンズ群Ｌ３が互いの空気間隔を変化させながら第１レンズ群Ｌ１に対して光軸方向に移動することでズーミングがなされる。
【０００８】
ズームファインダ１には、ファインダ光学系の光軸Ｏと平行に延び且つ前後両端部がファイダ本体１０に固定されたガイドシャフト１１が設けられている。このガイドシャフト１１には、第２レンズ群Ｌ２と一体に形成された被ガイド部１３、及び第３レンズ群Ｌ３と一体に形成された被ガイド部１４が各々摺動自在に嵌合されている。即ち、第２レンズ群Ｌ２及び第３レンズ群Ｌ３は、被ガイド部１３、１４を介してガイドシャフト１１に沿って光軸方向に案内されている。
【０００９】
またズームファインダ１には、ファインダ光学系に隣接させて回転カム１５が設けられている。回転カム１５は略円柱形状を呈しており、光軸Ｏと平行に延びる回転軸１６上に回動自在かつ光軸方向に所定量移動可能に嵌合している。回転軸１６は、ガイドシャフト１１と同様に、前後両端部がファイダ本体１０に固定されている。
【００１０】
回転軸１６上には、回転カム１５の後端面とファインダ本体１０の間に位置させて圧縮コイルバネ（付勢手段）１７が縮設されている。したがって、回転カム１５は圧縮コイルバネ１７のバネ力により光軸方向前方（図１での右方）へ常時付勢されている。
【００１１】
一方、回転カム１５の前端面には、ファインダ本体１０に螺合された視度調整ネジ１８の先端が当接している。つまり、回転カム１５の前端面は、圧縮コイルバネ１７のバネ力によって視度調整ネジ１８の先端に弾接している。このため、視度調整ネジ１８をねじ込む方向に回転させると、圧縮コイルバネ１７のバネ力に抗して回転カム１５が回転軸１６に沿って後方に移動し、逆に視度調整ネジ１８を緩める方向に回転させると、圧縮コイルバネ１７のバネ力によって回転カム１５が回転軸１６に沿って前方に移動する。
【００１２】
回転カム１５の外周面には、光軸方向前側に位置する第１カム面１５ａと、この第１カム面１５ａの後方に位置する第２カム面１５ｂが形成されている。第１カム面１５ａ及び第２カム面１５ｂは各々回転カム１５の周方向及び軸方向に対して傾斜する方向に延びるカム面として構成されている。第１カム面１５ａには、第２レンズ群Ｌ２と一体形成された被ガイド部１３から突出する第１カムフォロア（カムピン）１３ａが係合し、第２カム面１５ｂには、第３レンズ群Ｌ３と一体形成された被ガイド部１４から突出する第２カムフォロア（カムピン）１４ａが係合している。
【００１３】
ファインダ本体１０前端に形成されたフック部１０ａと被ガイド部１３に形成されたフック部１３ｂの間には、引張コイルバネ１９が張設されている。この引張コイルバネ１９のバネ力により被ガイド部１３は光軸方向前方に常時付勢されており、よって第１カムフォロア１３ａは第１カム面１５ａに対して常時弾接している。
【００１４】
他方、ガイドシャフト１１上には、ファインダ本体１０後端のガイドシャフト１１後端を支持するシャフト支持部１０ｂと被ガイド部１４の後端の間に圧縮コイルバネ２０が縮設されている。この圧縮コイルバネ２０のバネ力により被ガイド部１４は光軸方向前方に常時付勢され、よって第２カムフォロア１４ａは第２カム面１５ｂに対して常時弾接している。
【００１５】
また回転カム１５の前端には、回転軸１６を回転中心とするギヤ１５ｃが一体に形成されている。このギヤ１５ｃは、図示しないギヤ列を介してコンパクトカメラ内に設けられた撮影レンズ（ズームレンズ）の駆動機構（図示せず）と連動する。よって回転カム１５は、撮影レンズの焦点距離変化（ズーミング）に連動して回転する。
【００１６】
ズーミング動作が実行されるとギヤ１５ｃ即ち回転カム１５が回転され、これによって第１カムフォロア１３ａ及び第２カムフォロア１４ａがそれぞれ回転カム１５の第１カム面１５ａ及び第２カム面１５ｂ上を摺動するため、被ガイド部１３、１４即ち第２レンズ群Ｌ２及び第３レンズ群Ｌ３が互いの空気間隔を変化させながら第１レンズ群Ｌ１に対して光軸方向に移動してファインダ光学系の焦点距離を連続的に変化させる。
【００１７】
以上の構成を有するズームファインダ１において視度調整を行うときは、調整用ドライバ等を用いて視度調整ネジ１８を回転させる。視度調整ネジ１８を所定の回転方向に回転させると、該ネジ先端が後方（図１での左方）に移動して回転カム１５の前端面を圧縮コイルバネ１７のバネ力に抗して後方に押し込むので、回転カム１５が回転軸１６に沿って後方に移動する。また、視度調整ネジ１８を逆方向に回転させると、該ネジ先端が前方（図１での右方）に移動するので、圧縮コイルバネ１７のバネ力により回転カム１５が回転軸１６に沿って前方に移動する。即ち視度調整ネジ１８を回転操作することで回転カム１５の軸方向位置を調整することができる。回転カム１５が回転軸１６に沿って移動すると、第１カムフォロア１３ａ及び第２カムフォロア１４ａが各々同方向に同量移動するので、第２レンズ群Ｌ２及び第３レンズ群Ｌ３が互いの相対位置を変化させることなく第１レンズ群Ｌ１に対して光軸方向に同時に移動する。したがって、視度調整ネジ１８を回転操作することでファインダ光学系の視度を調整することができる。
【００１８】
以上のような本実施形態のズームファインダ１によれば、第１レンズ群を前後に移動させることで視度調整を行う従来のズームファインダのように第１レンズ群を光軸方向に所定量前後させるための視度調整用空間を予め確保する必要が無いため、従来のズームファインダに比べてファインダ光学系の光軸方向での全長を短縮することができ、よってズームファインダを小型化、ひいてはカメラを小型化が可能となる。
【００１９】
上記実施形態では、第２レンズ群Ｌ２及び第３レンズ群Ｌ３と一体形成された第１カムフォロア１３ａ及び第２カムフォロア１４ａを、回転カム１５に形成した第１カム面１５ａと第２カム面１５ｂに沿って移動させる構成にしたが、例えば回転カム１５に代えて直進案内されたカム板等を用い、該カム板に形成したカム溝部やカム縁部によって第１カムフォロア１３ａ及び第２カムフォロア１４ａを移動させる構成も可能である。即ち、前後２つの可動レンズを移動させるズーム用カムは、回転カムのみに限定されるものではない。
【００２０】
上記実施形態のズームファインダは第１レンズ群Ｌ１、第２レンズ群Ｌ２及び第３レンズ群Ｌ３からなる３群タイプであり、第２レンズ群Ｌ２及び第３レンズ群Ｌ３を光軸方向に前後させて視度調整を行うものであるが、本発明は３群タイプのズームファインダにのみ限定されない。即ち、第１レンズ群及び第２レンズ群からなる２群タイプのズームファインダにも本発明を適用することができる。図４乃至図６は、このような２群タイプのズームファインダに本発明を適用した実施形態を示している。この実施形態では、第１レンズ群Ｌ１及び第２レンズ群Ｌ２を光軸方向に前後させて視度調整を行うものである。なお、図４乃至図６の各図面中、図１乃至図３に示した実施形態と実質的に同一部材には同一符号を付してある。
【００２１】
また本発明は、以上のような２群タイプ及び３群タイプのズームファインダにのみ限定されるものではなく、少なくとも２つの可動レンズ群を含む４つ以上のレンズ群からなるズームファインダにも適用することができる。
【００２２】
【発明の効果】
以上のように、本発明によればズームファインダの小型化に有利な構造を有する視度調整装置を得ることができる。
【図面の簡単な説明】
【図１】本発明を適用したズームファインダの一実施形態の縦断面図である。
【図２】同ズームファインダの正面図である。
【図３】同ズームファインダの底面図である。
【図４】本発明を適用したズームファインダの他の実施形態の縦断面図である。
【図５】同ズームファインダの正面図である。
【図６】同ズームファインダの底面図である。
【符号の説明】
１  ファインダ本体
１３ａ  第１カムフォロア
１４ａ  第２カムフォロア
１５  回転カム（ズーム用カム）
１５ａ  第１カム面
１５ｂ  第２カム面
１７  圧縮コイルバネ
１８  視度調整ネジ
１９  引張コイルバネ
２０  圧縮コイルバネ
【図１】
2004205980.tif 000003
【図２】
2004205980.tif 000004
【図３】
2004205980.tif 000005
【図４】
2004205980.tif 000006
【図５】
2004205980.tif 000007
【図６】
2004205980.tif 000008